【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
反射物に対する照明光の照射角度が可変な照明手段と、前記照明手段が装着可能であり撮像光学系を介して結像した光学像に応じた画像を出力する撮像装置本体とを備え、前記照明手段からの照明光を前記反射物で反射させた反射光によって被写体を照明して撮影を行うバウンス発光撮影が可能な撮像装置であって、
前記照射角度を制御するために行われるバウンス駆動の際に前記照明手段を駆動してプリ発光を行う第１の制御手段と、
前記プリ発光によって前記撮像装置と前記被写体との距離および前記反射物と前記撮像装置との距離をそれぞれ第１の距離および第２の距離として測距する第１の測距手段と、
前記第１の距離および前記第２の距離に基づいて前記照射角度を設定して前記照明手段を設定した照射角度に駆動制御する第２の制御手段と、
前記被写体に合焦させるフォーカス制御を行う際、前記撮像装置と前記被写体との距離を第３の距離として測距する第２の測距手段と、
前記第２の測距手段による測距が行われていると、前記第１の制御手段によるプリ発光を禁止する禁止手段と、
を有することを特徴とする撮像装置。
【請求項２】
前記撮像装置本体と前記照明手段とは通信可能であり、
前記第１の制御手段、第１の測距手段、および第２の制御手段は前記照明手段に備えられ、
前記第２の測距手段は、前記撮像装置本体に備えられていることを特徴とする請求項１に記載の撮像装置。
【請求項３】
前記照明手段と前記撮像装置本体とは通信可能であり、前記禁止手段は前記撮像装置本体に備えられていることを特徴とする請求項１に記載の撮像装置。
【請求項４】
前記照明手段と前記撮像装置本体とは通信可能であり、前記禁止手段は前記照明手段に備えられていることを特徴とする請求項１に記載の撮像装置。
【請求項５】
ＡＦ補助光を発光するＡＦ補助光発光手段と、
前記フォーカス制御を行う際に、前記ＡＦ補助光発光手段を駆動制御して前記ＡＦ補助光を発光させる第３の制御手段と、を有し、
前記禁止手段は、前記第３の制御手段によって前記ＡＦ補助光発光手段を駆動するためのＡＦ補助光発光指令が出力されると前記第１の制御手段によるプリ発光を禁止することを特徴とする請求項１乃至４のいずれか１項に記載の撮像装置。
【請求項６】
前記禁止手段は、前記第３の制御手段によって前記ＡＦ補助光発光手段を駆動するためのＡＦ補助光発光指令が出力されて所定の時間が経過するまで前記第１の制御手段によるプリ発光を禁止することを特徴とする請求項１乃至４のいずれか１項に記載の撮像装置。
【請求項７】
ＡＦ補助光を発光するＡＦ補助光発光手段と、
前記フォーカス制御を行う際に、前記ＡＦ補助光発光手段を駆動制御して前記ＡＦ補助光を発光させる第３の制御手段と、を有し、
前記禁止手段は、前記第３の制御手段によって前記ＡＦ補助光発光手段を駆動するためのＡＦ補助光発光指令が出力されて所定の時間が経過するまで前記第１の制御手段によるプリ発光を禁止することを特徴とする請求項１乃至４のいずれか１項に記載の撮像装置。
【請求項８】
前記照明手段と前記撮像装置本体とは通信可能であり、
前記第１の制御手段、第１の測距手段、第２の制御手段、および前記禁止手段は前記照明手段に備えられ、
前記第２の測距手段は、前記撮像装置本体に備えられており、
前記撮像装置本体には、前記第２の測距手段の動作を検出して前記照明手段に通知する通知手段が備えられていることを特徴とする請求項１に記載の撮像装置。
【請求項９】
光源からの光の照射方向を変更可能な照明装置を用いて撮影する撮像装置であって、
被写体に合焦させるフォーカス制御を行うフォーカス制御手段と、
前記照明装置に前記光源からの光の照射方向を変更させる動作の実行指示を送信する指示手段と、を有し、
前記指示手段は、前記フォーカス制御手段が前記フォーカス制御を行っている間は前記照明装置に前記光源からの光の照射方向を変更させる動作の実行指示を送信しないことを特徴とする撮像装置。
【請求項１０】
前記指示手段は、前記フォーカス制御手段が前記照明装置による補助光の発光が伴う前記フォーカス制御を行っている間は前記照明装置に前記光源からの光の照射方向を変更させる動作の実行指示を送信しないことを特徴とする請求項９に記載の撮像装置。
【請求項１１】
反射物に対する照明光の照射角度が可変な照明手段と、前記照明手段が装着可能であり撮像光学系を介して結像した光学像に応じた画像を出力する撮像装置本体とを備え、前記照明手段からの照明光を前記反射物で反射させた反射光によって被写体を照明して撮影を行うバウンス発光撮影が可能な撮像装置の制御方法であって、
前記照射角度を制御するために行われるバウンス駆動の際に前記照明手段を駆動してプリ発光を行う第１の制御ステップと、
前記プリ発光によって前記撮像装置と前記被写体との距離および前記反射物と前記撮像装置との距離をそれぞれ第１の距離および第２の距離として測距する第１の測距ステップと、
前記第１の距離および前記第２の距離に基づいて前記照射角度を設定して前記照明手段を設定した照射角度に駆動制御する第２の制御ステップと、
前記被写体に合焦させるフォーカス制御を行う際、前記撮像装置と前記被写体との距離を第３の距離として測距する第２の測距ステップと、
前記第２の測距ステップによる測距が行われていると、前記第１の制御ステップによるプリ発光を禁止する禁止ステップと、
を有することを特徴とする制御方法。
【請求項１２】
光源からの光の照射方向を変更可能な照明装置を用いて撮影する撮像装置の制御方法であって、
被写体に合焦させるフォーカス制御を行うフォーカス制御ステップと、
前記照明装置に前記光源からの光の照射方向を変更させる動作の実行指示を送信する指示ステップと、を有し、
前記指示ステップでは、前記フォーカス制御ステップで前記フォーカス制御を行っている間は前記照明装置に前記光源からの光の照射方向を変更させる動作の実行指示を送信しないことを特徴とする制御方法。
【請求項１３】
反射物に対する照明光の照射角度が可変な照明手段と、前記照明手段が装着可能であり撮像光学系を介して結像した光学像に応じた画像を出力する撮像装置本体とを備え、前記照明手段からの照明光を前記反射物で反射させた反射光によって被写体を照明して撮影を行うバウンス発光撮影が可能な撮像装置で用いられる制御プログラムであって、
前記撮像装置に備えられたコンピュータに、
前記照射角度を制御するために行われるバウンス駆動の際に前記照明手段を駆動してプリ発光を行う第１の制御ステップと、
前記プリ発光によって前記撮像装置と前記被写体との距離および前記反射物と前記撮像装置との距離をそれぞれ第１の距離および第２の距離として測距する第１の測距ステップと、
前記第１の距離および前記第２の距離に基づいて前記照射角度を設定して前記照明手段を設定した照射角度に駆動制御する第２の制御ステップと、
前記被写体に合焦させるフォーカス制御を行う際、前記撮像装置と前記被写体との距離を第３の距離として測距する第２の測距ステップと、
前記第２の測距ステップによる測距が行われていると、前記第１の制御ステップによるプリ発光を禁止する禁止ステップと、
を実行させることを特徴とする制御プログラム。
【請求項１４】
光源からの光の照射方向を変更可能な照明装置を用いて撮影する撮像装置で用いられる制御プログラムであって、
前記撮像装置に備えられたコンピュータに、
被写体に合焦させるフォーカス制御を行うフォーカス制御ステップと、
前記照明装置に前記光源からの光の照射方向を変更させる動作の実行指示を送信する指示ステップと、を実行させ、
前記指示ステップでは、前記フォーカス制御ステップで前記フォーカス制御を行っている間は前記照明装置に前記光源からの光の照射方向を変更させる動作の実行指示を送信しないことを特徴とする制御プログラム。